(57)【要約】【課題】  クランプが光ファイバを挟み込むのを防止する。【解決手段】  クランプ１０は、周壁３１の対面部３４の上縁の一部を傾斜縁部３８とし、この傾斜縁部３８の下端側に低縁部４０を設け、弾性腕１３には、押出面２３を設けてある。弾性腕１３を係止孔３０に挿入させるときに光ファイバＦが傾斜縁部３８に乗っていれば弾性腕１３の底部２０が光ファイバＦを押しのけて係止孔３０に進入する。弾性腕１３の押出面２３が光ファイバＦに接触すれば、その傾斜によって光ファイバＦを押しのける。光ファイバＦが対面部３４の上縁に乗ったままで弾性腕１３の係止孔３０への挿入が進行して光ファイバＦが挟み込まれるおそれはない。【選択図】  図３
2006325379.tif 000002
【特許請求の範囲】
【請求項１】
板状材に取り付けるための取付手段が連接される取付基部と、
一方の端部は固定端部として前記取付基部に連接され、自由端部である他方の端部には係止突起を有する弾性腕が連接される帯部と、
前記弾性腕を弾性変形させて受け入れる係止孔と、該係止孔の周壁から内側に突出して形成されて前記係止突起を係止させる係止受突起とが設けられ、前記取付基部に連接される係止受部と
を備え、
前記弾性腕を前記係止孔に挿入して弾性変形させ、その弾性変形の反発力で前記係止突起を前記係止受突起に係止させることで環状体となした前記帯部にて線材を把持し、前記取付手段によって板状材に取り付けられる
クランプにおいて、
前記周壁の前記固定端部と対面する対面部の上縁の一部を傾斜縁部とし、該傾斜縁部の下端側に前記取付基部からの突出高さが該傾斜縁部の上端側よりも低い低縁部を設け、
前記弾性腕には、該弾性腕を前記係止孔に挿入させる際に前記傾斜縁部と逆傾斜になる押出面を、該挿入時に前記対面部の内側を通過する部分に設けた
ことを特徴とするクランプ。
【請求項２】
請求項１記載のクランプにおいて、
前記係止孔は矩形であり、
前記対面部と直交する側面部に前記低縁部が設けられている
ことを特徴とするクランプ。
【請求項３】
請求項２記載のクランプにおいて、
前記低縁部は、前記対面部と前記側面部との間に形成されたコーナー部を含んでいる
ことを特徴とするクランプ。
【発明の詳細な説明】
【背景技術】
【０００１】
本発明は、光ファイバや電線等の線材を板や壁面に取り付けるためのクランプの技術分野に属する。
【０００２】
光ファイバや電線等の線材を板状材に取り付けるためのクランプとして、
板状材に取り付けるためのスナップ等の取付手段が連接される取付基部、一方の端部は固定端部として取付基部に連接され、自由端部である他方の端部には係止突起を有する弾性腕が連接される帯部及びその弾性腕を弾性変形させて受け入れる係止孔と、この係止孔の周壁から内側に突出して形成されて係止突起を係止させる係止受突起とが設けられ、取付基部に連接される係止受部を備え、
弾性腕を係止孔に挿入して弾性変形させ、その弾性変形の反発力で係止突起を係止受突起に係止させることで環状体となした帯部にて線材を把持し、取付手段によって板状材（例えば自動車の板金、電子機器の筐体など）に取り付けられるクランプがある。
【特許文献１】実開昭５７−１０４０８１号公報（図３）
【発明の開示】
【発明が解決しようとする課題】
【０００３】
従来のクランプでは、弾性腕を係止孔に挿入するときに弾性腕と係止孔の周壁との間に線材を挟み込んでしまうことがあった。このような挟み込みが発生すると、弾性腕を十分に係止孔に挿入できなくて係止突起と係止受突起との係止が不全になるので、把持が不確実になる。特に、光ファイバの場合は、この挟み込みに伴う圧迫で歪みが生じて光の伝達が悪化したり、最悪の場合は光ファイバが折損するおそれもあった。
【課題を解決するための手段】
【０００４】
請求項１記載のクランプは、
板状材に取り付けるための取付手段が連接される取付基部と、
一方の端部は固定端部として前記取付基部に連接され、自由端部である他方の端部には係止突起を有する弾性腕が連接される帯部と、
前記弾性腕を弾性変形させて受け入れる係止孔と、該係止孔の周壁から内側に突出して形成されて前記係止突起を係止させる係止受突起とが設けられ、前記取付基部に連接される係止受部と
を備え、
前記弾性腕を前記係止孔に挿入して弾性変形させ、その弾性変形の反発力で前記係止突起を前記係止受突起に係止させることで環状体となした前記帯部にて線材を把持し、前記取付手段によって板状材に取り付けられる
クランプにおいて、
前記周壁の前記固定端部と対面する対面部の上縁の一部を傾斜縁部とし、該傾斜縁部の下端側に前記取付基部からの突出高さが該傾斜縁部の上端側よりも低い低縁部を設け、
前記弾性腕には、該弾性腕を前記係止孔に挿入させる際に前記傾斜縁部と逆傾斜になる押出面を、該挿入時に前記対面部の内側を通過する部分に設けた
ことを特徴とする。
【０００５】
請求項１記載のクランプの取付基部には、板状材に取り付けるためのスナップ等の取付手段、帯部の固定端部及び係止受部が連接される。また、帯部の自由端部には係止突起を有する弾性腕が連接され、係止受部には弾性腕を弾性変形させて受け入れる係止孔と、この係止孔の周壁から内側に突出して形成されて係止突起を係止させる係止受突起とが設けられている。
【０００６】
そして、弾性腕を係止孔に挿入して弾性変形させ、その弾性変形の反発力で係止突起を係止受突起に係止させることで帯部を環状体となす。なお、取付基部が、この環状体の一部になることがある。その環状体としてた帯部にて線材を把持したクランプを、取付手段によって板状材に取り付ける。又は、クランプを取付手段によって板状材に取り付けた後に、帯部を環状体となして線材を把持させる。
【０００７】
環状体に把持させる作業時では、環状体を形成する前に線材が取付基部上に置かれるが、この時に線材の長手方向が対面部に沿うので、線材が対面部の上縁に乗ることがある。このように線材が対面部の上縁に乗ったまま弾性腕を係止孔に挿入させると、従来のクランプでは前述の挟み込みが生じる可能性が大きい。
【０００８】
しかしながら、このクランプにあっては、周壁の固定端部と対面する対面部の上縁の一部を傾斜縁部とし、この傾斜縁部の下端側に取付基部からの突出高さが傾斜縁部の上端側よりも低い低縁部を設け、また弾性腕には、弾性腕を係止孔に挿入させる際に傾斜縁部と逆傾斜になる押出面を、挿入時に対面部の内側を通過する部分に設けてあり、弾性腕を係止孔に挿入させるときに線材の一部が傾斜縁部に乗って係止孔の上方を通っていれば、弾性腕が係止孔の上方にある線材を押すので、線材が傾斜縁部に沿って下端部から低縁部側へと移動させられる。
【０００９】
また、押出面の傾斜は弾性腕を係止孔に挿入させる際に傾斜縁部と逆傾斜になるので、
弾性腕を係止孔へ進入させることにより押出面２３が線材に接触すれば、押出面の傾斜によって線材を更に低縁部側に移動させる。
【００１０】
従って、線材の一部が傾斜縁部に乗っていれば、これを傾斜縁部の下端部から取付基板上へと押し戻すように作用するので、線材が対面部の上縁に乗ったままで弾性腕の係止孔への挿入が進行して線材が挟み込まれるおそれはない。
【００１１】
請求項２記載のクランプは、請求項１記載のクランプにおいて、
前記係止孔は矩形であり、前記対面部と直交する側面部に前記低縁部が設けられている
から、請求項１の構成による効果をより確実にする。
【００１２】
請求項３記載のクランプは、請求項２記載のクランプにおいて、前記低縁部は、前記対面部と前記側面部との間に形成されたコーナー部を含んでいるから、請求項２の構成による効果を更に確実にする。
【発明を実施するための最良の形態】
【００１３】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例のクランプ１０はナイロン６６の成形品であるが、他の種類の合成樹脂、例えばポリエチレン、ポリプロピレン、ＡＢＳ等を使用することも可能である。
【００１４】
図１（（ａ）は正面図、（ｂ）は平面図、（ｃ）は左側面図、（ｄ）は底面図、（ｅ）は右側面図、（ｆ）は背面図）、図２（正面図と拡大図（Ａ、Ｄ）、矢視図（Ｃ、Ｅ）及び断面図）、図３（斜視図）に示すように、本実施例のクランプ１０は、帯部１１、帯部１１の自由端部１１ｂに連接された弾性腕１３、帯部１１の固定端部１１ａが連接されている取付基部１５、取付基部１５に連接された係止受部１６、取付基部１５の裏面に連接されたスナップ１９（取付手段に該当）等を備えている。
【００１５】
帯部１１は、詳細は後述するが弾性腕１３を係止受部１６に係止させることで環状とされ、クランプ１０は、その環状になった帯部１１にて光ファイバや電線等の線材を把持するために使用される。帯部１１には、これを環状にする際の曲げ変形を容易にするための肉薄部１１ｃが固定端部１１ａの付近に設けられている。
【００１６】
弾性腕１３は略Ｕ字状であり、そのＵ字の一端部にて帯部１１に連接されている。弾性腕１３の他端部は半棒状の摘み部２１となっており、これと平行状に係止突起２２が設けられている。
【００１７】
Ｕ字の底部２０の幅は両端部（帯部１１との連接部、摘み部２１及び係止突起２２が設けられている部分）の幅よりも狭くなっており、それら幅広の部分と幅狭の部分とを接続する部分はテーパ状にされ、片方が押出面２３、他方が案内面２４になっている。
【００１８】
また、押出面２３に隣接する部分には略直角のコーナーによるストッパ２５が設けられ、ストッパ２５と帯部１１との間には図２（Ｂ−Ｂ）に示されるとおり回避斜面２６が設けられている。
【００１９】
図１（ｂ）、（ｄ）に示されるとおり、取付基部１５の輪郭は略長方形であり、その一方の端部には上述の帯部１１の固定端部１１ａが連接されている。
また、取付基部１５の他方の端部には、係止受部１６が連設されている。図１（ｂ）に示されるとおり、係止受部１６の平面投影輪郭は略長方形で、その内部には横断面形状が長方形の係止孔３０が設けられている。
【００２０】
係止孔３０の周壁３１は、長方形の各辺に対応して、突起支持部３２、案内側面部３３、対面部３４及び低縁側面部３５とされ、突起支持部３２と対面部３４、案内側面部３３と低縁側面部３５が、それぞれ対向している。また、対面部３４は固定端部１１ａに対面している。
【００２１】
突起支持部３２の内面には、対面部３４に向かって突出した係止受突起３６が設けられている。この係止受突起３６は係止突起２２を係止させるために設けられている。
案内側面部３３には、弾性腕１３の案内面２４と協働して弾性腕１３を案内するための案内面３７が設けられている。
【００２２】
突起支持部３２、案内側面部３３及び対面部３４の取付基部１５からの突出高さは等しいが、対面部３４には低縁側面部３５が低くなる傾斜縁部３８が設けられている。一方、低縁側面部３５の取付基部１５からの突出高さは、突起支持部３２、案内側面部３３及び対面部３４よりも低い。このため、周壁３１の上縁は、突起支持部３２から案内側面部３３を経て対面部３４の傾斜縁部３８の上端までの高縁部３９、傾斜縁部３８、傾斜縁部３８の下端から低縁側面部３５にわたる低縁部４０に３分割される。
【００２３】
取付基部１５の裏面にはスナップ支柱４２が連接され、取付基部１５とスナップ支柱４２との連接部からは一対の弾性支持板４３が、斜め下向きに延出されている。
スナップ支柱４２の先端部４４は板状になっており、この先端にはスナップ１９の頭部４５が連接されている。そして、頭部４５から一対の弾性片４６（断面形状は図２に示すように蒲鉾状）が斜め上向きに延出されている。スナップ１９の弾性支持板４３と協働しての機能は周知の通りである。
【００２４】
このクランプ１０は、図４に示すように、取付基部１５の上面に線材（例えば光ファイバＦ、図示は１本であるが複数本でもよい。）を載せてから、帯部１１を倒すように変形させて（図４（ａ）参照）、弾性腕１３を係止受部１６の係止孔３０に押し込むと、弾性腕１３は係止受突起３６から及ぼされる反力によって一旦弾性変形し、係止突起２２が係止受突起３６を乗り越えると、弾性復帰して係止突起２２を係止受突起３６に係止させる（図４（ｂ）参照）。
【００２５】
これにより帯部１１と取付基部１５とによる閉鎖環状体が形成され、その閉鎖環状体にて光ファイバＦを把持する。そのクランプ１０をスナップ１９によって電子機器の筐体や自動車の板金等の板状材に取り付ければ（又は予め取り付けておけば）、光ファイバＦを板状材に取り付けできる。
【００２６】
ところで、この作業時に取付基部１５上に置かれた光ファイバＦが、対面部３４の上縁に乗ることがある。そのような場合のクランプ１０の作用を図５によって説明する。
このクランプ１０にあっては、周壁３１の対面部３４の上縁の一部を傾斜縁部３８とし、この傾斜縁部３８の下端側に取付基部１５からの突出高さが傾斜縁部３８の上端側よりも低い低縁部４０を設け、また弾性腕１３には、弾性腕１３を係止孔に挿入させる際に傾斜縁部３８と逆傾斜になる押出面２３を、挿入時に対面部３４の内側を通過する部分に設けてある。
【００２７】
このため、弾性腕１３を係止孔３０に挿入させるときに光ファイバＦの一部が傾斜縁部３８に乗って係止孔３０の上を通っていれば（図５（ａ）参照）、弾性腕１３の底部２０が係止孔３０の上方にある光ファイバＦを押す。すると、光ファイバＦは、底部２０から受けた力によって傾斜縁部３８に沿って傾斜縁部３８の下端部側へと移動させられる。つまり、弾性腕１３の底部２０が光ファイバＦを押しのけて係止孔３０に進入する（図５（ｂ）参照）。
【００２８】
また、弾性腕１３には押出面２３が設けられているが、弾性腕１３の係止孔３０への進入が深くなって押出面２３が光ファイバＦに接触すれば、押出面２３の傾斜によって光ファイバＦを押しのける（図５（ｃ）参照）。
【００２９】
従って、光ファイバＦの一部が傾斜縁部３８に乗っていれば、これを傾斜縁部３８の下端部から取付基板１５上へと押し戻すように作用するので、光ファイバＦが対面部３４の上縁に乗ったままで弾性腕１３の係止孔３０への挿入が進行して光ファイバＦが挟み込まれるおそれはない。
【００３０】
なお、図４（ｂ）に示すように、係止突起２２が係止受突起３６に係止した状態では、回避斜面２６が傾斜縁部３８に接近して対面状態になり、ストッパ２５が低縁部４０に接近して対面状態になる。ストッパ２５は、弾性腕１３の係止孔３０への押し込み限度を規制するために設けられており、これが低縁部４０に接触すれば、弾性腕１３をそれ以上押し込むことはできない。また、回避斜面２６が傾斜縁部３８と平行状になるように設けられているので、周壁３１が弾性腕１３に当たって、押し込みを阻害することはない。
【図面の簡単な説明】
【００３１】
【図１】実施例のクランプの六面図（ａは正面図、ｂは平面図、ｃは左側面図、ｄは底面図、ｅは右側面図、ｆは背面図）。
【図２】実施例のクランプの構造説明図。
【図３】実施例のクランプの斜視図。
【図４】実施例のクランプの使用方法の説明図。
【図５】実施例のクランプの作用の説明図。
【符号の説明】
【００３２】
１０・・・クランプ、
１１・・・帯部、
１１ａ・・・固定端部、
１１ｂ・・・自由端部、
１５・・・取付基部、
１６・・・係止受部、
１９・・・スナップ（取付手段）、
２０・・・底部、
２２・・・係止突起、
２３・・・押出面、
２５・・・ストッパ、
２６・・・回避斜面、
３０・・・係止孔、
３１・・・周壁、
３２・・・突起支持部、
３３・・・案内側面部、
３４・・・対面部、
３５・・・低縁側面部、
３６・・・係止受突起、
３８・・・傾斜縁部、
３９・・・高縁部、
４０・・・低縁部、
Ｆ・・・光ファイバ。
【図１】
2006325379.tif 000003
【図２】
2006325379.tif 000004
【図３】
2006325379.tif 000005
【図４】
2006325379.tif 000006
【図５】
2006325379.tif 000007